(57)【要約】      （修正有）【課題】使用者がコード巻取リール使用時に滑動構造によってコードの引出、挿入を円滑に行えるようにし、同時に高頻度使用時に生じるコードの摩擦損壊を防止するコード巻取リール構造通線口の改良構造を提供する。【解決手段】コード巻取リール改良構造であって、上蓋体２１、下蓋体２２、２３回転構造、コード２４、及び滑動構造からなり、上下蓋体間に回転構造及び滑動構造を設置、回転構造上にはコードを巻き付け、上下蓋体両側に設置された滑動構造より形成される間隙から突出させる。【選択図】図５
0003116846.tif 000002
【実用新案登録請求の範囲】
【請求項１】
上蓋体、下蓋体、回転構造、コードからなり、上蓋体と下蓋体は相互に結合され、
該回転構造は、該上下蓋体間に配置されてコードを巻取り、収納してなり、
中空ローラーを回転可能に挿通した固定軸からなる滑動構造を下蓋体上に２組設けて上蓋体と下蓋体とを相互に結合することにより、該２組のそれぞれの中空ローラー間に間隙を設けると共に、該コードを該間隙間より引き出してなる
ことを特徴とするコード巻取リール通線口改良構造。
【請求項２】
前記コードの両端に電気製品を接続してなることを特徴とする請求項１に記載のコード巻取リール通線口改良構造。
【考案の詳細な説明】
【技術分野】
【０００１】
本考案は、コード巻取リールの通線口の改良構造に関するものであり、特に滑動構造によりコードを回転構造より引出し、巻取り収納時の動作を円滑にし高頻度使用によるコードの摩擦損壊を防ぐものである。
【背景技術】
【０００２】
図１、２は公知のコード巻取リール構造の実例図であり、図から分かるように、公知のコード巻取リール１は、コード１１を上蓋体１２と下蓋体１３より形成される間隙１４より引き出し、使用者はコード１１をコード巻取リール外へ引出し使用でき、不要なコードをコード巻取リール内へ収納、集線の役割を目的とする。上述のようにコード巻取リールは集線の目的を果しているが、その使用上には以下三つの問題点がある。
１．一つは公知のコード巻取リールのコードは、上蓋体と下蓋体より形成される間隙    よりコードを突出させるが、間隙の縁に角がある構造の為、コード引出時に十分    円滑に動作しない。
２．公知のコード巻取リールのコードは、上蓋体と下蓋体より形成される間隙よりコ    ードを突出させるが、間隙の縁に角がある構造の為、高頻度の使用によりコード    を摩擦損壊させ易い。
３．使用者は信号コードを摩擦損壊させ易くなる為、通信不良が発生し再購入による    費用負担が増加する。
よって、上述のような問題を改善する必要がある。
【特許文献１】特開平10-120310
【考案の開示】
【考案が解決しようとする課題】
【０００３】
上述の問題を改善するため、本考案は、コード巻取リール通線口の改良構造を提供し、回転構造部よりコードを引出し、巻取り・収納時の動作をより円滑にすることを目的とする。
本考案は、コード巻取リール通線口の改良構造を提供し、高頻度使用時にコードの摩擦損壊が生じる問題を解決することを、もう一つの目的とする。
本考案は、コード巻取リール通線口の改良構造を提供し、簡単な構造で操作が容易且つ使用寿命の長くなることを更に一つの目的とする。
【課題を解決するための手段】
【０００４】
上述の目的を達成する本考案にて提供するコード巻取リール通線口の改良構造は、上蓋体、下蓋体、回転構造、コード、及び滑動構造からなる。上下蓋体間に回転構造及び滑動構造を設置、回転構造上にはコードを巻き付け、上下蓋体両側に設置された滑動構造より形成される間隙からコードを引出す。コードの両側に接続する製品は種類を問わず（例：コネクタ、イヤホン、プラグ等）、使用者がコード巻取リール使用時に滑動構造によってコードの引出、巻取りを円滑に行えるようにし、同時に高頻度使用時に生じるコードの摩擦損壊を防止する。
【考案の効果】
【０００５】
本考案のコード巻取リール通線口改良構造は、コード巻取リールの機能を向上し、コードの引出し、巻取り収納時の動作を円滑にし、高頻度使用におけるコードの摩擦損壊が生じ易いという問題を解決する。更に、構造が簡単で、操作が容易、使用寿命が長いという長所を有する。
【考案を実施するための最良の形態】
【０００６】
図３、４，５及び図６は、コード巻取リール構造通線口改良の分解投影図、立体図及び断面図であり、図から分かるように、本考案のコード巻取リール構造部２は、上蓋体２１、下蓋体２２、回転構造部２３、コード２４、滑動構造部から構成される。上下蓋体２１、２２間に回転構造部２３及び滑動構造部を設けて、回転構造部２３にコード２４を巻付け、二組の滑動構造部を上下蓋体２１，２２の内側に設置する。滑動構造部は固定軸２５及び中空ローラー２６からなり、固定軸２５を下蓋体２２上に設置し、固定軸２５に中空ローラーを通し、上蓋体２１と下蓋体２２を結合させ、下蓋体２２上の固定軸２５は上蓋体２１の固定孔２７に結合固定して、二組の中空ローラー２６を固定軸２５上を回転可能に支持して二つの中空ローラー間に間隙２８を形成し、間隙２８よりコード２４をコード巻取リール構造部２の外へ突出させ、これにより回転構造２３よりコード２４を引出し、巻取り収納時に中空ローラーの滑動によりコード２４動作時により円滑な動作が可能になる。
【０００７】
図７はコード巻取リール構造部の使用実例であり、図から分かるように、本考案のコード巻取リール構造部２はコード２４の１端にコネクトプラグ３、他端にイヤホン４を設けている。イヤホンを電子機器に接続して使用するが、接続対象を問わずコード両端に機器を接続して使用できるため使用者の利便性を高める。本考案は、使用者がコード巻取リール構造を使用する際、その滑動構造によりコードの回転構造部へ引出し、巻取り収納時の動作を円滑にし、高頻度使用によるコードの摩擦損壊を防止する。
本考案の新規性と実用性を更に明確にするため、公知のコード巻取リールと比較した。
【０００８】
公知技術の欠点：
1.公知のコード巻取リールのコードは、上蓋体と下蓋体より形成される間隙よりコー  ドを突出させるが、該間隙の縁に角がある構造の為、コード引出時に十分円滑に動  作しない。
2.公知のコード巻取リールのコードは、上蓋体と下蓋体より形成される間隙よりコー  ドを突出させるが、間隙の縁に角がある構造の為、高頻度の使用によりコードを摩  擦損壊させる。
3.使用者は、信号コードを摩擦損壊させ易くなる為、通信不良が発生し再購入による  費用負担が増加する。
本考案の長所：
1.本考案のコード巻取リール構造部通線口の改良は、上下蓋体に滑動構造部を配置し  、回転構造にてコードの引出、巻取り収納時の動作をより円滑にする。
2.本考案のコード巻取リール構造部通線口改良は、上下蓋体に滑動構造部を構造し、  高頻度の使用によるコードの摩擦損壊を防ぐ。
3.本考案のコード巻取リール構造は、構造が簡単で、操作が容易、且つ使用寿命が長  い等の長所がある。
【０００９】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１０】
【図１】公知のコード巻取リール構造部の立体図である。
【図２】公知のコード巻取リール構造部の簡易分解図である。
【図３】本考案のコード巻取リール構造部の分解図である。
【図４】本考案のコード巻取リール構造部の分解図である。
【図５】本考案のコード巻取リール構造部の立体図である。
【図６】本考案のコード巻取リール構造部の断面図である。
【図７】本考案のコード巻取リール構造部の使用実例図である。
【符号の説明】
【００１１】
１…コード巻取リール
１１…コード
１２…上蓋体
１３…下蓋体
１４…間隙
２…コード巻取リール構造
２１…上蓋体
２２…下蓋体
２３…回転構造
２４…コード
２５…固定軸
２６…中空ローラー
２７…固定孔
２８…間隙
３…コネクトプラグ
４…イヤホン
【図１】
0003116846.tif 000003
【図２】
0003116846.tif 000004
【図３】
0003116846.tif 000005
【図４】
0003116846.tif 000006
【図５】
0003116846.tif 000007
【図６】
0003116846.tif 000008
【図７】
0003116846.tif 000009